(57)【要約】画像表示装置は、イメージング装置を照明する光を偏光するほぼ非吸収性の偏光素子を利用する。非吸収性偏光素子によって、コスト及び冷却の要求が減少し、耐久性が増大し、かつ、高パワーの光源の使用が可能となる。
2004527803.tif 000002
【特許請求の範囲】
【請求項１】
光を放出する光源と、
その光を受光し、第１の偏光を有する光の第１部分を第１の方向に指導し、かつ、第２の偏光を有する光の第２部分を第２の方向に指導するように適合された非吸収性の偏光素子と、
前記光の第１部分に画像情報を付与するとともに、イメージ光を生成するように適合されたイメージャと、
前記イメージ光を投影するように適合された投影レンズと、
第１の偏光を有する前記光の第１部分を前記イメージャに指導するとともに、前記イメージャからのイメージ光を前記投影レンズに指導するように適合された偏光ビームスプリッタとを具えることを特徴とする画像表示装置。
【請求項２】
前記光源からの光を複数のカラー光ビームに分離するとともに、これらカラー光ビームを含む光を前記非吸収性の偏光素子に供給するように適合した色分離手段を更に具えることを特徴とする請求項１記載の画像表示装置。
【請求項３】
前記非吸収性の偏光素子からの光の第１部分を複数のカラー光ビームに分離するとともに、前記カラー光ビームを含む光の第１部分を前記偏光ビームスプリッタに供給するように適合した色分離手段を更に具えることを特徴とする請求項１記載の画像表示装置。
【請求項４】
前記色分離手段と前記偏光ビームスプリッタとの間に他の偏光素子が配置されないことを特徴とする請求項３記載の画像表示装置。
【請求項５】
前記光の第１及び第２部分がそれぞれ、前記光の約５０％を有することを特徴とする請求項１記載の画像表示装置。
【請求項６】
前記イメージャが、一つのカラー光ビームを調整して画像情報を付与するように適合された光弁を具えることを特徴とする請求項１記載の画像表示装置。
【請求項７】
前記光弁が、反射型液晶表示装置を具えることを特徴とする請求項１記載の画像表示装置。
【請求項８】
前記偏光素子が反射型偏光子を具えることを特徴とする請求項１記載の画像表示装置。
【請求項９】
前記偏光素子が第２の偏光ビームスプリッタを具えることを特徴とする請求項１記載の画像表示装置。
【請求項１０】
前記偏光素子がワイヤグリッド偏光子を具えることを特徴とする請求項１記載の画像表示装置。
【発明の詳細な説明】
【技術分野】
【０００１】
本発明は、画像表示装置に関する。
【背景技術】
【０００２】
投影型画像表示装置が広く知られている。そのような装置、特に液晶光弁を用いた装置は、米国特許番号５，５３２，７６４号、５，７８６，９３４号及び６，２３４，６３４号に示されており、その各々は、ここに参照することによって組み込まれる。以下の説明を参照するに際し、そのような装置の従来の特徴を熟知しているものと仮定し、本発明の特徴のみを説明する。
【０００３】
図１は、一例の液晶ディスプレイ（ＬＣＤ）プロジェクタ１００を示す。ＬＣＤプロジェクタ１００を、シングルパネルカラーＬＣＤプロジェクタとする。
【０００４】
ＬＣＤプロジェクタ１００は、関連のパーツ：ランプ１０２、第１集光器１０４、第２集光器１０５、偏光変換系（ＰＣＳ）１０６、コンデンサレンズ１０７、第１〜第４ダイクロイックカラーフィルタ１０８，１１０，１１２，１１４、第１〜第３走査プリズム１１６，１１８，１２０、反射ミラー１２２，１２４、前方偏光子１２６、偏光ビームスプリッタ１２８、ＬＣＤ１３０、検光子１３２、及び投影レンズ１３４を具える。
【０００５】
ＬＣＤプロジェクタ１００の動作を説明する。ＬＣＤ１３０は、光弁又は変調器として動作し、入射光を受光するとともに入射光の所望の画像を取り込むよう適合されて、入射光が、投影レンズ１３４によって所望の表示領域すなわちスクリーン上に投影される。高コントラスト比の高品質画像を生成するために、ＬＣＤ１３０は、予め規定された方向で入射光をほぼ直線偏光する必要がある。ＬＣＤプロジェクタ１００において、ＬＣＤ１３０を、好適にはＬＣＯＳ(liquid crystal on silicon)装置のような反射型ＬＣＤとする。反射型ＬＣＤの動作は周知であり、例えば米国特許番号６，０２３，３０９号及び６，０５２，１６５号で見つけることができる。
【０００６】
図１に示すＬＣＤプロジェクタ１００の例は、スクローリングカラーシステム(scrolling color system)を用いる。スクローリングカラーシステムにおいて、白色光は、成分を成す赤色光ビーム（Ｒ）、緑色光ビーム（Ｇ）及び青色光ビーム（Ｂ）に分離される。カラー光ビームは、空間的に分離された光としてＬＣＤパネルを照明する。光のストライプは、ＬＣＤを横切るよう上部から下部までスクロールする。１色がＬＣＤの下部をスクロールオフすると、それが再び上部から出現する。３色（Ｒ，Ｇ，Ｂ）全てがＬＣＤに同時に存在する。
【０００７】
カラー画像を形成するために、ＬＣＤは、互いに相違する３箇所で同時にアドレス指定される。所定の色（例えば緑色）に対するデータは、以前の色（例えば青色）の通過後に行に書き込まれる。カラー光の（緑色）帯域が画素を照明する。パネルが３箇所でアドレス指定され、これらアドレス行は、照明パターンと同期を取りながら下方にシフトする。スクローリングカラーアーキテクチャの更に詳細な動作の説明を、”Single Panel Reflective LCD Projector”, J. A. Simizu, Projection Displays V, Proceedings SPIE, Vol. 3634, pp.197-206 (1999)で見つけることができ、参照することによってここに組み込まれる。
【０００８】
再び図１に戻ると、ランプ１０２は、高強度で一般には非偏光の光を生成する。集光器１０４は、ランプ１０２からの光を受光し、一般に矩形の光を生成するために光の分布を成形し及び均一化する。集光器１０４，１０５の各々を、典型的にはレンズアレイで構成する。集光器１０４，１０５は、焦平面Ｆに複数の２次光源画像を生成する。
【０００９】
ＰＣＳ１０６は、集光器の焦平面Ｆに配置され、入射光をほぼ直線偏光する役割を果たす。
【００１０】
図２は、ＬＣＤプロジェクタ１００で用いることができる集光器１０５、ＰＣＳ１０６及びコンデンサレンズ１０７の一例を示す。集光器１０５はレンズアレイを具える。ＰＣＳ１０６は、偏光ビームスプリッタアレイ２１０及び１／２波長板２２０を具える。偏光ビームスプリッタアレイ２１０は、偏光ビームスプリッタ２１２及びミラー２１４の交互の配置を有する。
【００１１】
ＰＣＳ１０６は、一般に非偏光の光を受光するとともにその光を線形偏光Ｐに変換するように適合される。偏光はコンデンサレンズ１０７に送出される。所望の偏光（例えば、Ｐ）を有する入射光の約５０％のみが通過するとともに不所望な偏光（例えば、Ｓ）を有する入射光の約５０％が通過する標準的な吸収偏光子に対して、ＰＣＳ１０６は、典型的には偏光子より高い割合の入射光（例えば、入射光の８０％）を通過するとともに、典型的には吸収偏光子に吸収される光エネルギーの一部を吸収する。したがって、ＰＣＳ１０６を、高強度（例えば、約数百ルーメン）のアプリケーションで光を偏光するのに使用し、この場合、標準的な吸収偏光子を用いることができない。その理由は、吸収された光エネルギーがそれを破壊するからである。それに対して、ＰＣＳ１０６の消光比（Ｔｐ／Ｔｓ）は、典型的には吸収偏光子の消光比より十分小さくなり、このことは、出力光の偏光の割合が低いことを意味する。典型的なＰＣＳ１０６の消光比は１０未満（例えば、８．２５）である。
【００１２】
受光したビームの偏光に加え、ＰＣＳ１０６の偏光ビームスプリッタ２１２、隣接ミラー２１４及び１／２波長板２２０の組合せによって、光ビームのエテンデュー(etendue)すなわち光学寸法(optical size)をほぼ倍にする。すなわち、ＰＣＳ１０６は、組み込まれた照明系のエテンデューをほぼ倍にする。
【００１３】
ＰＣＳ１０６の動作の更なる詳細を、”Ultra-High-Efficiency LC Projector Using a Polarized Light Illuminating System,” Y. Itoh et al., 1997 Society of Information Display Digest, pp.993-996 (1997)で見つけることができ、参照することによってここに組み込まれる。
【００１４】
再び図１に戻ると、ＰＣＳ１０６からのほぼ偏光された光が、ダイクロイックカラーフィルタ１０８，１１０を通過して、偏光を互いに相違する複数のカラー光ビーム（例えば、Ｒ，Ｇ，Ｂを付した３色）に分離される。赤、緑及び青のカラー光ビームの各々は、対応する回転プリズム１１６，１１８，１２０に供給され、カラービームが、スクローリングカラーシステムのＬＣＤ１３０上を走査する。ダイクロイックカラーフィルタ１１２，１１４は、複数のカラー光ビームを前方偏光子１２６に指導する。
【００１５】
前方偏光子１２５は、入射したカラー光ビームの消光比を増大して、非常に高い強度の偏光をＬＣＤ１３０に供給する。前方偏光子の面は、吸収方向と、それに直交する非吸収方向とを有する。前方偏光子１２６の非吸収方向に沿った所望の偏光“Ｐ”を有する光は、前方偏光子１２６を通じて偏光ビームスプリッタ１２８に送出され、残りの光は、一般に偏光子によって吸収される。理想的でない装置である偏光子は、有限の消光比を有し、したがって、不所望な“Ｓ”偏光を有する少量のカラー光ビームが装置を通過する。
【００１６】
前方偏光子１２６からの十分偏光されたカラー光ビームは、偏光ビームスプリッタ１２８に供給される。偏光ビームスプリッタ１２８は、十分偏光されたカラー光ビームをＬＣＤ１３０に指導する。同時に、不所望な“Ｓ”偏光を有する少量のカラー光ビームが、ビームスプリッタ１２８によりＬＣＤ１３０から離間する（例えば装置を通過する）よう指導される。
【００１７】
これまで簡潔に説明したように、ＬＣＤ１３０は、入射光の偏光を調整するとともに偏光ビームスプリッタ１２８にもどるイメージ光を反射することによって、十分偏光したカラービームに所望の画像情報を与える。
【００１８】
偏光ビームスプリッタ１２８は、所望の偏光“Ｓ”を有するＬＣＤからのイメージ光を検光子１３２に指導し、その間、不所望な偏光“Ｐ”を有するＬＣＤ１３０からの反射光を、検光子１３２から離間するように指導する。検光子１３２は、入射イメージ光を更に偏光し、イメージ光を投影レンズ１３４に供給する。
【００１９】
最後に、投影レンズ１３４は、所望の表示エリアすなわちスクリーン上にイメージ光を拡大して投射する。
【発明の開示】
【発明が解決しようとする課題】
【００２０】
このような従来のＬＣＤプロジェクタは、画像を投影するのに十分であるが、複数の制約を有する。ＰＣＳは、非常に高価なものであり、かつ、製造が複雑である。さらに、既に説明したように、ＰＣＳは、照明系のエテンデューを倍にし、光ビームを取得するのに必要なＬＣＤの寸法が約倍になる。ＰＣＳは、非常に熱くなり、冷却を必要とし、装置全体に亘る耐久性が減少する。前方偏光子も、寿命を延ばすために積極的な冷却を必要とし、装置の耐久性に悪影響が及ぼされる。また、ＰＣＳは、ＰＣＳによって吸収される光エネルギーの量によって装置が故障するおそれがあるので、（例えば１０００ルーメンを超える）高強度プロジェクタに対して使用される（例えば１０００Ｗを超える）高パワー光源に適切ではない。
【００２１】
本発明の目的は、耐久性に優れ、厳格な冷却の要求が少なく、かつ、好適には複雑でない廉価な偏光素子を有する、高パワープロジェクタに適切な画像表示装置を提供することである。
【課題を解決するための手段】
【００２２】
本発明の目的は、請求項１に規定されたような本発明による画像表示装置によって達成される。
【発明の効果】
【００２３】
この配置において、ほぼ非吸収性の偏光素子が、色分離手段から入射されたほぼ非偏光のカラー光ビームを受光し、所望の偏光を有する受信したカラー光ビームの第１部分を透過し、不所望な偏光を有する入射光の残りの大部分を反射する。好適には、偏光素子は、入射カラー光ビームの約５０％を通過し、入射カラー光ビームの約５０％を反射する。したがって、偏光素子に入射される高強度の光のうちの僅かな割合しか吸収されず、装置を冷却する必要が減少し、画像表示装置の耐久性が増大する。
【００２４】
他の好適例は従属項で規定されている。本発明のこれら及び他の態様を、後に説明する実施の形態を参照して明らかにする。
【発明を実施するための最良の形態】
【００２５】
図３は、本発明の１以上の態様による画像表示装置３００の第１の実施の形態を示す。明瞭及び簡単のために、本発明に関連する装置の部分を示す。
【００２６】
画像表示装置３００は、光源３０２、第１及び第２集光器３０４，３０５、コンデンサレンズ３０７、カラー分離手段３５０、十分な非吸収性偏光素子３２６、偏光ビームスプリッタ３２８、イメージャ３３０、検光子３３２、並びに投影レンズ３３４を具える。
【００２７】
第１の好適な実施の形態の画像表示素子３００の種々の関連の素子の動作を説明する。図３に示す画像表示装置３００は、既に説明したスクローリングカラー形態を採用し、この場合、イメージャ３３０は、光弁又は変調器として動作し、入射光を受光するとともに入射光の所望の画像を取り込むよう適合されて、入射光が、投影レンズ３３４によって所望の表示領域すなわちスクリーン上に投影される。
【００２８】
ランプとすることができる光源３０２は、高強度で一般に非偏光の光を生成する。集光器３０４は、ランプ３０２からの光を受光し、一般に矩形の光を生成するために光の分布を成形し及び均一化する。集光器３０４，３０５の各々は、レンズアレイを具える。
【００２９】
集光器からのほぼ非偏光の光は、色分離手段３５０を通過して、ほぼ非偏光の光を複数のカラー光ビームを分離する。画像表示装置３００において、色分離手段３５０は、ダイクロイックカラーフィルタ３０８，３１０，３１２，３１４と、回転プリズム３１６，３１８，３２０と、反射ミラー３２２，３２４とを具える。
【００３０】
色分離手段３５０からのほぼ非偏光のカラー光ビームは、ほぼ非吸収性の偏光素子３２６に供給される。
【００３１】
ほぼ非吸収性の偏光素子３２６は、入射されたほぼ非偏光のカラー光ビームを色分離手段３５０から受光し、所望の偏光（例えば、Ｐ）を有する受光カラー光ビームの第１部分を透過し、不所望の偏光（例えば、Ｓ）を有する入射光の残りのほぼ大部分を反射する。好適には、偏光素子３２６は、入射カラー光ビームのほぼ５０％を通過し、入射カラー光ビームのほぼ５０％を反射する。したがって、偏光素子３２６に入射される高強度の光の僅かな部分のみが偏光素子によって吸収され、装置を冷却する必要が減少するとともに、画像表示素子３００の耐久性が増大する。
【００３２】
好適には、ほぼ非吸収性の偏光素子３２６は、偏光ビームスプリッタ、反射偏光子又は広帯域ワイヤグリッド偏光子を具える。反射偏光子の一例は、米国特許番号６，０２５，８９７号に開示されており、広帯域ワイヤグリッド偏光子の一例は、米国特許番号６，１２２，１０３号に開示されている。
【００３３】
偏光素子３２６は、所望の偏光（例えば、Ｐ）を有するカラー光ビームの一部を偏光ビームスプリッタ３２８に指導する。偏光ビームスプリッタ３２８は、ほぼ直線偏光されたカラー光ビームをイメージャ３３０に指導する。同時に、不所望な偏光（例えば、Ｓ）を有する少量のカラー光ビームは、ビームスプリッタ３２８によってイメージャ３３０から離間するように指導される。
【００３４】
好適には、イメージャ３３０を、既に簡潔に説明したように、反射液晶表示装置（ＬＣＤ）のような液晶光弁とする。イメージャ３３０は、入射光の偏光を調整するとともにイメージ光を偏光ビームスプリッタ３２８に反射することによって、ほぼ直線偏光されたカラービームに所望の画像情報を与える。
【００３５】
偏光ビームスプリッタ３２８は、所望の直線偏光（例えば、Ｓ）を有する、イメージャ３３０からのイメージ光を検光子３３２に指導し、同時に、不所望な偏光（例えば、Ｐ）を有する、イメージャ３３０からの反射光を、検光子３３２から離間するように指導する。また、検光子３３２は、入射されたイメージ光を偏光するとともに、イメージ光を投影レンズ３３４に供給する。
【００３６】
最後に、投影レンズ３３４は、所望の表示領域すなわちスクリーン上にイメージ光を拡大して投影する。
【００３７】
画像表示装置３００の第１の実施の形態の変形例において、色分離手段３５０と偏光ビームスプリッタ３２８との間にほぼ非吸収性の偏光素子３２６を配置する代わりに、偏光素子３２６を集光器３０４と色分離手段３５０との間に配置することもできる。その場合、色分離手段３５０は、ほぼ非吸収性の偏光素子３２６からほぼ偏光された光を受光する。
【００３８】
第１の実施の形態の画像表示装置３００がＰＣＳ又は前方偏光子を用いないので、従来の装置に比べて、コストが減少し、冷却の要求が減少し、かつ、耐久性が増大する。また、ＰＣＳを省略することによって照明光学系のエテンデューが減少し、装置に用いられるイメージャ（例えば、ＬＣＤ）のサイズを減少することができ、これによって、画像表示装置のコスト及びサイズが更に減少する。さらに、吸収性の前方偏光子及びＰＣＳを省略することによって、装置を破壊するおそれがある高パワーの光源を用いることができる。例えば、光源３０４を１ｋＷ以上のランプとすることができ、これによって、１０００ルーメンスを超える強度の投影光が生成される。
【００３９】
画像表示装置の偏光ビームスプリッタに送出される光の消光比と、装置によって表示された画像のコントラスト比との間の関係を決定するために、図４に示すテストベット４００を用いた。テストベット４００は、光源４０５と、フィルタ４１０と、集光器４１５と、第１テスト素子４２５と、第１及び第２レンズ４３０，４３５と、第２テスト素子４４０と、偏光ビームスプリッタ４４５と、１／４波長板４５０と、ミラー４５５と、検光子４６０と、投影レンズ４６５と、投影スクリーン４６７とを具える。
【００４０】
偏光変換装置（ＰＣＳ）、前方偏光子、反射偏光子及び広帯域ワイヤグリッド偏光子を含む素子の種々の組合せを、図４のテスト素子４２５，４４０の代わりとした。偏光ビームスプリッタ４４５に入射される偏光の消光比及び投影レンズ４６５の光出力のコントラストを、選択された素子の組合せの各々に対して測定した。
【００４１】
表１は、種々の素子を第１及び第２テスト素子４２５，４４０に対して使用したときに生じる偏光ビームスプリッタ４４５の入力部における消光比並びに対応する表示の明るさ及び表示コントラストを示す。
【００４２】
【表１】
2004527803.tif 000003
【００４３】
図５は、図４の偏光ビームスプリッタ４４５に入射される消光費と装置によって表示された画像のコントラスト比との関係の最適プロットを示す。図５によれば、消光比が１から１０まで増大するに従ってコントラスト比が約１５０％増大することがわかる。しかしながら、消光比が１０から１００まで更に増大してもコントラスト比が約１６％しか増大せず。消光比が１０から８００まで増大してもコントラスト比が約３７％しか増大しない。
【００４４】
したがって、一部のアプリケーションにおいては、画像表示装置は、偏光ビームスプリッタ前の照明光学系の光路に偏光変換装置（ＰＣＳ）を使用するとともに他の偏光素子を使用しないことによって高い出力効率及び許容し得るコントラストを達成することができる。
【００４５】
図６は、本発明の一つ以上の態様による第２の好適な実施の形態の画像表示装置６００を示す。明瞭及び簡単のために、本発明に関連する装置の部分を示す。
【００４６】
画像表示装置６００は、光源６０２と、第１及び第２集光器６０４，６０５と、偏光変換装置（ＰＣＳ）６０６と、コンデンサレンズ６０７と、色分離手段６５０と、偏光ビームスプリッタ６２８と、イメージャ６３０と、検光子６３２と、投影レンズ６３４とを具える。
【００４７】
第２の好適な実施の形態である画像表示装置６００の種々の関連の素子の動作を説明する。図６に示す画像表示装置６００は、既に説明したようなスクローリングカラー形態を採用し、この場合、イメージャ６３０は、光弁又は変調器として動作し、入射光を受光するとともに入射光の所望の画像を取り込むよう適合されて、入射光が、投影レンズ６３４によって所望の表示領域すなわちスクリーン上に投影される。
【００４８】
ランプとすることができる光源６０２は、高強度で一般的には非偏光の光を生成する。集光器６０４は、ランプ６０２からの光を受光し、一般的には矩形ビームを生成するために光の分布を成形し及び均一化する。集光器６０４，６０５の各々はレンズアレイを具える。
【００４９】
ＰＣＳ６０６は、入射光をほぼ直線偏光するよう適合される。ＰＣＳ６０６は、一般的には非偏光の光を受光するとともに、一般的には非偏光の入射光を、所望の直線偏光（例えば、Ｐ）を有するほぼ偏光された光に変換するように適合される。
【００５０】
ＰＣＳ６０６からのほぼ偏光された光は、色分離手段６５０を通過し、ほぼ偏光された光を複数のカラー光ビームに分離する。画像表示装置６００において、色分離装置６５０は、ダイクロイックカラーフィルタ６０８，６１０，６１２，６１４と、回転プリズム６１６，６１８，６２０と、反射ミラー６２２，６２４とを具える。
【００５１】
色分離手段６５０からのほぼ偏光されたカラー光ビームは、偏光ビームスプリッタ６２８に供給される。偏光ビームスプリッタ６２８は、ほぼ偏光されたカラー光ビームをイメージャ６３０に指導する。同時に、不所望な偏光（例えば、Ｓ）を有する少量のカラー光ビームは、ビームスプリッタ６２８によってイメージャ６３０から離間される。
【００５２】
好適には、イメージャ６３０を、既に簡潔に説明したように、反射型液晶表示装置（ＬＣＤ）のような液晶光弁とする。イメージャ６３０は、入射光の偏光を調整するとともにイメージ光を偏光ビームスプリッタ６２８に反射することによって、ほぼ偏光されたカラービームに所望の画像情報を付与する。
【００５３】
偏光ビームスプリッタ６２８は、所望の偏光（例えば、Ｓ）を有する、イメージャ６３０からのイメージ光を検光子６３２に指導し、同時に、不所望名偏光（例えば、Ｐ）を有する、イメージャ６３０からの反射光を、検光子６３２から離間するように指導する。さらに、検光子６３２は、入射されたイメージ光を偏光するとともに、イメージ光を投影レンズ６３４に供給する。
【００５４】
最後に、投影レンズ６３４は、所望の表示領域すなわちスクリーン上でイメージ光を拡大して投影する。
【００５５】
第２の実施の形態の画像表示装置６００が任意の前方偏光子を有しないので、装置は、更に耐久性が向上し、かつ、冷却に容易になる。また、表１からわかるように、出力光強度が、前方偏光子を有する装置に比べて増大する。
【００５６】
ここでは好適な実施の形態を説明したが、本発明の概念及び範囲内で多数の変形が可能である。例えば、ここに開示した第１及び第２の実施の形態を、シングルパネルスクローリングカラーＬＣＤプロジェクタシステムとする。しかしながら、本発明の原理は、そのようなシステムに限定されるものではなく、例えば、３パネルカラーＬＣＤプロジェクタ及び同様な画像表示装置に適用することができる。そのような変形は、ここの明細書、図面及び請求の範囲の精査の後では当業者によって明らかである。したがって、本発明は、添付した精神及び範囲内を除いて制約されるものではない。
【図面の簡単な説明】
【００５７】
【図１】従来のＬＣＤプロジェクタを示す。
【図２】集光器、偏光変換系及びコンデンサレンズの例を示す。
【図３】画像表示装置の第１の実施の形態を示す。
【図４】表示された画像のコントラスト比に対する種々の偏光素子の影響を決定するために用いられるテストベット表示装置を示す。
【図５】図４のテストベット表示装置の偏光ビームスプリッタに入射される消光比と表示装置によって表示される画像のコントラスト比との関係を示す。
【図６】画像表示装置の第２の実施の形態を示す。
【図５】
2004527803.tif 000004
【国際公開パンフレット】
2004527803.tif 000005
2004527803.tif 000006
2004527803.tif 000007
2004527803.tif 000008
2004527803.tif 000009
2004527803.tif 000010
2004527803.tif 000011
2004527803.tif 000012
2004527803.tif 000013
2004527803.tif 000014
2004527803.tif 000015
2004527803.tif 000016
2004527803.tif 000017
2004527803.tif 000018
2004527803.tif 000019
2004527803.tif 000020
2004527803.tif 000021
2004527803.tif 000022
2004527803.tif 000023
【国際調査報告】
2004527803.tif 000024
2004527803.tif 000025
2004527803.tif 000026